(57)【要約】  流動食品を収容し、且つ底面部分（３）、上面部分（４）及び底面部分（３）と上面部分（４）との間に置かれ、且つ複数の側壁部分（６）を含む主要部分（５）を含む密封されたパッケージ（１、１’、１’’、１’’’）が記載され、主要部分（５）は、それぞれ底面部分（３）及び前記上面部分（４）から、長手方向（Ａ）に対して横断方向に延在する底面の周囲輪郭（８）及び上面の周囲輪郭（９、９’’）によって区画され；底面の周囲輪郭（８）及び上面の周囲輪郭（９、９’’）のそれぞれは、折れ線の形状を有し、且つ互いに接合された複数の輪郭縁（８ａ、８ｂ、８ｃ；９ａ、９ｂ、９ｃ；９ａ’’、９ｂ’’、９ｃ’’）によって形成され；底面部分（３）は、底面の周囲輪郭（８）によって範囲が定められ、且つ長手方向（Ａ）に対して直交して延在する四辺形の底面パネル（１０）を含み；上面部分（４）は、上面の周囲輪郭（９、９’’）によって範囲が定められ、且つ長手方向（Ａ）に対して横断方向に延在する四辺形の上面パネル（１４、１４’’）を含み；底面パネル（１０）の面積は、上面の四辺形（Ｑ）の面積と異なり、上面の四辺形（Ｑ）の面積は、基準面（Ｐ）上において、上面パネル（１４、１４’’）を長手方向（Ａ）に沿って投影することによって得られ、基準面（Ｐ）は、底面パネル（１０）に対して平行であり、パッケージ（１、１’、１’’、１’’’）を横断し、且つ上面の周囲輪郭（９、９’’）の輪郭縁（８ａ、８ｂ、８ｃ；９ａ、９ｂ、９ｃ；９ａ’’、９ｂ’’、９ｃ’’）の少なくとも１つ（９ａ、９ａ’’）を含む。【選択図】  図５
2021522114.tif 000002
【特許請求の範囲】
【請求項１】
流動食品を収容し、且つ底面部分（３）、上面部分（４）及び前記底面部分（３）と前記上面部分（４）との間に置かれ、且つ複数の側壁部分（６）を含む主要部分（５）を含む密封されたパッケージ（１、１’、１’’、１’’’）であって、
前記主要部分（５）は、それぞれ前記底面部分（３）及び前記上面部分（４）から底面の周囲輪郭（８）及び上面の周囲輪郭（９、９’’）によって区画され、前記底面の周囲輪郭（８）及び前記上面の周囲輪郭（９、９’’）は、それぞれエンドレス形態を有し、且つ前記パッケージ（１、１’、１’’、１’’’）の全高が画定される長手方向（Ａ）に対して横断方向に延在し；
前記底面の周囲輪郭（８）及び前記上面の周囲輪郭（９、９’’）のそれぞれは、折れ線の形状を有し、且つ互いに接合された複数の輪郭縁（８ａ、８ｂ、８ｃ；９ａ、９ｂ、９ｃ；９ａ’’、９ｂ’’、９ｃ’’）によって形成され；
前記底面部分（３）は、前記底面の周囲輪郭（８）によって範囲が定められ、且つ前記長手方向（Ａ）に対して直交して延在する四辺形の底面パネル（１０）を含み；
前記上面部分（４）は、前記上面の周囲輪郭（９、９’’）によって範囲が定められ、且つ前記長手方向（Ａ）に対して横断方向に延在する四辺形の上面パネル（１４、１４’’）を含む、パッケージ（１、１’、１’’、１’’’）において、
前記底面パネル（１０）の面積は、上面の四辺形（Ｑ）の面積と異なり、前記上面の四辺形（Ｑ）の前記面積は、基準面（Ｐ）上において、前記上面パネル（１４、１４’’）を前記長手方向（Ａ）に沿って投影することによって得られ、前記基準面（Ｐ）は、前記底面パネル（１０）に対して平行であり、前記パッケージ（１、１’、１’’、１’’’）を横切り、且つ前記上面の周囲輪郭（９、９’’）の前記輪郭縁（９ａ、９ｂ、９ｃ；９ａ’’、９ｂ’’、９ｃ’’）の少なくとも１つ（９ａ、９ａ’’）を含むことを特徴とするパッケージ（１、１’、１’’、１’’’）。
【請求項２】
前記基準面（Ｐ）は、少なくとも前記上面の周囲輪郭（９、９’’）の前記輪郭縁（９ａ、９ｂ、９ｃ；９ａ’’、９ｂ’’、９ｃ’’）の上面の前縁（９ａ、９ａ’’）を含む、請求項１に記載のパッケージ。
【請求項３】
前記底面パネル（１０）の前記面積は、前記上面の四辺形（Ｑ）の前記面積よりも小さい、請求項１又は２に記載のパッケージ。
【請求項４】
前記底面の周囲輪郭（８）の前記輪郭縁は、底面の前縁（８ａ）、底面の後縁（８ｂ）及び２つの底面の側縁（８ｃ）を含み、前記上面の四辺形（Ｑ）は、前記底面の前縁（８ａ）に対応する上面の前線分（Ｑ１）、前記底面の後縁（８ｂ）に対応する上面の後線分（Ｑ２）及びそれぞれ前記底面の側縁（８ｃ）に対応する２つの上面の側線分（Ｑ３）を含む、請求項１〜３のいずれか一項に記載のパッケージ。
【請求項５】
前記底面の側縁（８ｃ）は、同じ長さを有し、且つ前記上面の側線分（Ｑ３）は、同じ長さを有し；前記底面の側縁（８ｃ）の前記長さは、前記上面の側線分（Ｑ３）の前記長さと異なる、請求項４に記載のパッケージ。
【請求項６】
前記底面の側縁（８ｃ）の前記長さは、前記上面の側線分（Ｑ３）の前記長さよりも小さい、請求項５に記載のパッケージ。
【請求項７】
前記底面の前縁（８ａ）及び前記底面の後縁（８ｂ）は、同じ長さを有し、且つ前記上面の前線分（Ｑ１）及び前記上面の後線分（Ｑ１、Ｑ２）は、同じ長さを有し；前記底面の前縁（８ａ）及び前記底面の後縁（８ｂ）の前記長さは、前記上面の前線分（Ｑ１）及び前記上面の後線分（Ｑ２）の前記長さと異なる、請求項４〜６のいずれか一項に記載のパッケージ。
【請求項８】
前記底面の前縁（８ａ）及び前記底面の後縁（８ｂ）の前記長さは、前記上面の前線分（Ｑ１）及び前記上面の後線分（Ｑ２）の前記長さよりも大きい、請求項７に記載のパッケージ。
【請求項９】
前記上面パネル（１４）は、前記底面パネル（１０）、前記基準面（Ｐ）及び前記長手方向（Ａ）に対して斜めにされる、請求項１〜８のいずれか一項に記載のパッケージ。
【請求項１０】
前記上面パネル（１４’’）は、前記底面パネル（１０）に対して平行であり、前記上面の四辺形（Ｑ）は、前記上面パネル（１４’’）と一致する、請求項１〜８のいずれか一項に記載のパッケージ。
【請求項１１】
前記側壁部分（６）のぞれぞれは、外向きに凸状になった２つの丸みを帯びた側辺ゾーン（７）によって範囲が定められる、請求項１〜１０のいずれか一項に記載のパッケージ。
【請求項１２】
前記側壁部分（６）のぞれぞれは、２つの直線の側辺ゾーン（７）によって範囲が定められる、請求項１〜１０のいずれか一項に記載のパッケージ。
【請求項１３】
流動食品を収容する密封されたパッケージ（１、１’、１’’、１’’’）を作るためのシート包装材料（Ｍ、Ｍ’、Ｍ’’、Ｍ’’’）であって、長方形又は正方形の形態であって、長手方向（Ａ）に対して平行な２つの境界縁（２２）と、前記長手方向（Ａ）に対して直交する横断方向（Ｂ）に対して平行な２つの他の境界縁（２３、２４）とを備える長方形又は正方形の形態を有し；少なくとも底面の横断方向折り目線（２５）及び前記長手方向（Ａ）に対して横断方向に延在する上面の横断方向折り目線（２６、２６’’）を含み、前記底面の横断方向折り目線（２５）及び前記上面の横断方向折り目線（２６、２６’’）は、前記包装材料（Ｍ、Ｍ’、Ｍ’’、Ｍ’’’）を、
−  底面の折り目パターン（２８）を含み、且つ前記パッケージ（１、１’、１’’、１’’’）の底面部分（３）を形成するように構成された底面領域（２７）；
−  上面の折り目パターン（３０）を含み、且つ前記パッケージ（１、１’、１’’、１’’’）の上面部分（４）を形成するように構成された上面領域（２９）；及び
−  前記底面の横断方向折り目線（２５）と前記上面の横断方向折り目線（２６、２６’’）との間に含まれ、前記底面領域（２７）と前記上面領域（２９）との間に置かれ、且つ複数の側壁部分（６）を有する前記パッケージ（１、１’、１’’、１’’’）の主要部分（５）を形成するように設計された中間領域（３１）
に区画し；
前記底面の横断方向折り目線（２５）及び前記上面の横断方向折り目線（２６、２６’’）は、前記主要部分（５）から前記底面部分（３）及び前記上面部分（４）をそれぞれ区画する前記パッケージ（１、１’、１’’、１’’’）の底面の周囲輪郭（８）及び上面の周囲輪郭（９、９’’）を画定するように構成され；
前記底面の横断方向折り目線（２５）は、前記横断方向（Ｂ）に対して平行に延在し、且つ前記パッケージ（１、１’、１’’、１’’’）の底面の前縁（８ａ）を画定するように設計された底面の中心部分（２５ａ）及び前記底面の中心部分（２５ａ）の両側において延在し、且つ前記パッケージ（１、１’、１’’、１’’’）のそれぞれの底面の側縁（８ｃ）を画定するように設計された２つの底面の側部分（２５ｃ）を含み；
前記上面の横断方向折り目線（２６）、２６’’）は、前記パッケージ（１、１’、１’’、１’’’）の上面の前縁（９ａ、９ａ’’）を画定するように設計された上面の中心部分（２６ａ、２６ａ’’）及び前記上面の中心部分（２６ａ、２６ａ’’）の両側において延在し、且つ前記パッケージ（１、１’、１’’、１’’’）のそれぞれの上面の側縁（９ｃ、９ｃ’’）を画定するように設計された２つの上面の側部分（２６ｃ、２６ｃ’’）を含み；
前記底面の折り目パターン（２８）は、前記パッケージ（１、１’、１’’、１’’’）の四辺形の底面パネル（１０）を画定するように構成され、且つ前記上面の折り目パターン（３０）は、前記パッケージ（１、１’、１’’、１’’’）の四辺形の上面パネル（１４、１４’’）を画定するように構成される、シート包装材料において、
前記上面の横断方向折り目線（２６、２６’’）の前記上面の中心部分（２６ａ、２６ａ’’）の長さは、前記底面の横断方向折り目線（２５）の前記底面の中心部分（２５ａ）の長さと異なることを特徴とするシート包装材料。
【請求項１４】
前記底面の横断方向折り目線（２５）の前記底面の側部分（２５ｃ）のそれぞれの長さは、前記底面の横断方向折り目線（２５）に対して平行であり、且つ少なくとも前記上面の中心部分（２６ａ、２６ａ’’）を含む基準線（Ｓ）上における、前記上面の横断方向折り目線（２６、２６’’）の前記上面の側部分（２６ｃ、２６ｃ’’）のそれぞれの、前記長手方向（Ａ）に対して平行な投影像（Ｒ）の長さと異なる、請求項１３に記載の包装材料。
【請求項１５】
前記底面の側部分（２５ｃ）のそれぞれの前記長さは、前記対応する投影像（Ｒ）の前記長さよりも小さい、請求項１４に記載の包装材料。
【請求項１６】
前記底面の横断方向折り目線（２５）の前記底面の中心部分（２５ａ）の前記長さは、前記上面の横断方向折り目線（２６、２６’’）の前記上面の中心部分（２６ａ、２６ａ’’）の前記長さよりも大きい、請求項１３〜１５のいずれか一項に記載の包装材料。
【請求項１７】
前記上面の横断方向折り目線（２６）の前記上面の側部分（２６ｃ）は、前記長手方向（Ａ）及び前記横断方向（Ｂ）の両方に対して傾斜され、且つ前記上面の中心部（２６ａ）の方に収束する、請求項１３〜１６のいずれか一項に記載の包装材料。
【請求項１８】
前記上面の横断方向折り目線（２６’’）は、前記底面の横断方向折り目線（２５）に対して平行であり、且つ前記基準線（Ｓ）と一致し、前記基準線（Ｓ）上における前記上面の側部分（２６ｃ’’）の前記投影像（Ｒ）は、前記上面の側部分（２６ｃ’’）と一致する、請求項１３〜１６のいずれか一項に記載の包装材料。
【請求項１９】
前記底面の横断方向折り目線（２５）と前記上面の横断方向折り目線（２６、２６’’）との間に延在し、且つ前記パッケージ（１’、１’’’）の前記側壁部分（６）のそれぞれの側辺ゾーン（７）を画定するように構成された複数の長手方向折り目線（５０）をさらに含む、請求項１３〜１８のいずれか一項に記載の包装材料。
【請求項２０】
前記長手方向折り目線（５０）は、前記長手方向（Ａ）に対してわずかに斜めにされる、請求項１９に記載の包装材料。
【発明の詳細な説明】
【技術分野】
【０００１】
本発明は、流動食品を収容する密封されたパッケージに関する。
【０００２】
本発明は、流動食品を収容する密封されたパッケージを作るためのシート包装材料にも関する。
【背景技術】
【０００３】
公知の通り、多くの流動食品、例えばフルーツジュース、ＵＨＴ（超高温処理）牛乳、ワイン、トマトソースなどは、滅菌された包装材料製のパッケージにおいて販売されている。
【０００４】
典型的な例は、積層状包装材料のウェブを折って密封し、且つ切断することによって作製される、Ｔｅｔｒａ  Ｂｒｉｋ  Ａｓｅｐｔｉｃ（登録商標）として公知の液体又は流動食品のための平行六面体形状のパッケージである。特に、包装材料は、多層構造を有し、例えば紙の基層を含み、基層は、ヒートシールプラスチック材料、例えばポリエチレンの複数の層で両面が覆われている。ＵＨＴ牛乳などの長期保存製品のための無菌パッケージの場合、包装材料は、酸素遮断材、例えばアルミニウム箔の層も含み、この層は、ヒートシールプラスチック材料の層に重ね合わされ、且つ次にヒートシールプラスチック材料の別の層で覆われて、最終的に食品に接触するパッケージの内面を形成する。
【０００５】
この種のパッケージは、通常、全自動包装機で生産され、全自動包装機ではウェブ送り式包装材料から連続的なチューブが形成され、包装材料のウェブは、包装機において、例えば化学殺菌剤、例えば過酸化水素溶液を適用することによって滅菌され、過酸化水素溶液は、滅菌が完了したら、例えば加熱によって蒸発されて包装材料の表面から除去され、その後、そのように滅菌されたウェブは、密閉した無菌環境で維持され、且つ長手方向に折られて密封されてチューブを形成し、これが垂直方向に送られる。
【０００６】
成形作業を完了するために、チューブは、殺菌された又は殺菌処理済みの食品が充填されて密封され、それに続いて等間隔の横断面に沿って切断される。そのようにしてピローパックを得て、その後、これらが機械的に折られて、最終的なフォルダーにおいてそれぞれの完成品のパッケージを形成する。
【０００７】
成形している間及び最終的に折られる間の両方でウェブ包装材料を折ることができるようにするために、生産工場において折り目付け具により、折り目線、すなわち弱化線が包装材料に形成される。実際、折り目線は、折り目を画定し、それに沿ってピローパックが折られて、所望の最終形態を取る。
【０００８】
代わりに、包装材料は、ブランクに切断され、これらのブランクは、成形スピンドル上でパッケージに成形され、及びその後、結果として作られたパッケージは、食品が充填されて密封される。このタイプのパッケージの一例は、商品名Ｔｅｔｒａ  Ｒｅｘ（登録商標）で公知のいわゆる「ゲーブルトップ」パッケージである。
【０００９】
上述のパッケージを開けるために、これらは、通常、取り外し自在部分を備え、これは、開放機器により、包装材料の残りの部分から部分的に引き離され、注出開口部を解放し、それを通して製品を注ぎ出す。
【００１０】
取り外し自在部分は、完成品のパッケージを形成するために包装材料を折って密封する前に包装材料に形成される。
【００１１】
取り外し自在部分は、通常、いわゆる「プレラミネートされた」孔、すなわち包装材料の基層のみを貫通して形成され、且つ材料が積層される際に、孔で互いに接着するヒートシールプラスチック材料及び遮断材の層によって覆われた円形の孔を含む。
【００１２】
包装材料のチューブから切断されるか又は成形スピンドルで成形されるかのいずれかである上述のタイプの各パッケージは、所与の折り目線を有する包装材料の基本構成単位から得られる。
【００１３】
換言すると、上述の基本構成単位は、単一のパッケージを生産するために使用される包装材料の正確な長さを表わす。
【００１４】
包装材料のチューブから作製されたパッケージの場合、元のウェブは、複数の基本構成単位を互いに接合された状態で含む。成形スピンドルで作製されたパッケージの場合、基本構成単位は、成形作業及び密封作業の開始前にウェブから切断されたブランクによって画定される。
【００１５】
基本構成単位は、一般に、長方形又は正方形の形態を有し、２つの境界縁は、長手方向に対して平行であり、及び２つの他の境界縁は、長手方向に対して直交する横断方向に対して平行である。
【００１６】
基本構成単位が折られて密封されて、それぞれの完成品のパッケージを形成した後、長手方向は、パッケージ自体の全高が画定される方向になる。長手方向は、基本構成単位が得られるウェブの主伸長方向も表わす。
【００１７】
基本構成単位は、通常、少なくとも２つの横断方向折り目線を含み、横断方向折り目線は、長手方向に対して横断方向に延在し、且つ基本構成単位自体を、
−  底面の折り目パターンを含み、且つ完成品のパッケージの底面部分を形成するように構成された底面領域；
−  上面の折り目パターンを含み、且つ完成品のパッケージの上面部分を形成するように構成された上面領域；及び
−  横断方向折り目線間に含まれ、底面領域と上面領域との間に置かれ、且つ通常、完成品のパッケージの複数の側壁の側辺を形成するように設計された複数の長手方向折り目線を有する中間領域
に区画する。
【００１８】
横断方向折り目線は、エンドレス形態を有する完成品のパッケージの底面の周囲輪郭及び上面の周囲輪郭を画定し、且つ主要部分から底面部分及び上面部分をそれぞれ区画するようにも構成される。
【００１９】
完成品のパッケージの底面部分は、通常、パッケージ自体の載置面を画定する平面の水平な底面パネルを含む。
【００２０】
完成品のパッケージの上面部分は、底面パネルに平行であり、平面の水平な上面パネルを含み得る。代わりに、傾斜した上面パネルが開放機器と組み合わせて非常に便利に使用されている。なぜなら、傾斜した上面パネルは、平行六面体又は角柱のパッケージの対応する平面の上面パネルよりも幅が広く、そのため、例えばねじ蓋などを備えるより大きい開放機器を適用できるためである。
【００２１】
公知のように、パッケージの生産後、パッケージは、予め決められたサイズを有する輸送パレットに置くことによって販売場所まで輸送される。そのため、包装分野では、輸送パレットを完成品のパッケージで満たすことを最適にしながら、そのようなパッケージの見栄えの良さを維持する必要性が特に感じられている。
【発明の概要】
【発明が解決しようとする課題】
【００２２】
従って、簡単に低コストで上述の必要性を満たすことができる、流動食品を収容する密封されたパッケージを提供することが本発明の目的である。
【課題を解決するための手段】
【００２３】
この目的は、請求項１に記載の密封されたパッケージによって達成される。
【００２４】
この目的は、請求項１３に記載の流動食品を収容する密封されたパッケージを作るためのシート包装材料によっても達成される。
【００２５】
本発明の４つの好ましい非限定的な実施形態を、添付図面を参照して例として説明する。
【図面の簡単な説明】
【００２６】
【図１】本発明による密封されたパッケージの斜視図である。
【図２】図１のパッケージの縮小前面図である。
【図３】図１のパッケージの縮小側面図である。
【図４】図１のパッケージの縮小底面図である。
【図５】上面パネル自体の上面の前縁を含む、水平面上における垂直方向に沿った図３のパッケージの上面パネルの投影図である。
【図６】図１〜５のパッケージが得られる、本発明によるシート包装材料の基本構成単位の前面図である。
【図７】本発明の異なる実施形態による密封されたパッケージの斜視図である。
【図８】図７のパッケージが得られる、本発明によるシート包装材料の基本構成単位の前面図である。
【図９】本発明の別の実施形態による密封されたパッケージの斜視図である。
【図１０】図９のパッケージが得られる、本発明によるシート包装材料の基本構成単位の前面図である。
【図１１】本発明のさらなる実施形態による密封されたパッケージの斜視図である。
【図１２】図１１のパッケージが得られる、本発明によるシート包装材料の基本構成単位の前面図である。
【発明を実施するための形態】
【００２７】
図１〜５の符号１は、概して、流動食品を収容し、且つ図６に示すようなシート包装材料２から得られる、本発明による密封されたパッケージを示す。
【００２８】
パッケージ１は、底面部分３、上面部分４及び底面部分３と上面部分４との間に置かれ、且つ複数の側壁部分６を含む主要部分５を含み、各側壁部分は、２つの対向する側辺ゾーン７によって範囲が定められる。
【００２９】
主要部分５は、折れ線で画定されたエンドレス形態の底面の周囲輪郭８によって底面部分３から区画される。完全に類似した方法において、主要部分５は、同様に折れ線で画定されたエンドレス形態の上面の周囲輪郭９によって上面部分４から区画される。
【００３０】
底面部分３は、四辺形、すなわち長方形又は正方形（図示の例では長方形）のプロファイルを有し、且つパッケージ自体の載置面を画定する平面の水平な底面パネル１０を含む。
【００３１】
底面パネル１０は、底面の周囲輪郭８によって範囲が定められ、底面の周囲輪郭は、同様に、４つの線分又は輪郭縁、すなわち底面の前縁８ａ、底面の前縁８ａに対して平行な底面の後縁８ｂ並びに底面の前縁８ａ及び底面の後縁８ｂに対して直交する２つの底面の側縁８ｃによって形成される。
【００３２】
底面パネル１０が長方形プロファイルであることに起因して、底面の前縁８ａ及び底面の後縁８ｂは、同じ長さを有する。同じことが底面の側縁８ｃに当てはまり、底面の側縁は、同様に同じ長さを有する。
【００３３】
パッケージ１は、底面パネル１０に対して直交し、且つパッケージ１自体の全高が画定される長手方向Ａに沿って垂直に延在する。長手方向Ａは、底面の周囲輪郭８の底面の前縁８ａ、底面の後縁８ｂ及び底面の側縁８ｃに対しても直交する。
【００３４】
本記載及び特許請求の範囲では、用語「全高」は、パッケージが一定の高さを有するときのパッケージの高さ又はパッケージが可変の高さを有するときのパッケージの最大高さのいずれかを意味することを指摘しておく。
【００３５】
底面部分３は、２つの底面の側方フラップ１１をさらに含み、底面の側方フラップは、実質的に三角形の形態を有し、且つ公知の方法で底面パネル１０上に折りこまれている（図４）。
【００３６】
上面部分４は、四辺形、すなわち正方形又は長方形のプロファイルを有し、且つ長手方向Ａに対して前方に傾斜した形態を有する、平面であり且つ傾斜した上面パネル１４を含む。
【００３７】
図１〜３に示す例では、上面パネル１４は、正方形に近い長方形である。
【００３８】
上面パネル１４は、上面の周囲輪郭９によって範囲が定められ、上面の周囲輪郭は、同様に、４つの線分又は輪郭縁、すなわち底面の前縁８ａ及び底面の後縁８ｂに対して平行な上面の前縁９ａ、上面の前縁９ａに対して平行であり、且つ上面の前縁９ａ自体よりも高い位置に配置された上面の後縁９ｂ並びに上面の前縁９ａ及び上面の後縁９ｂに対して直交し、且つ長手方向Ａに対して傾斜している２つの上面の側縁９ｃによって形成される。
【００３９】
結果として、上面の周囲輪郭９は、長手方向Ａに対して横断方向に延在する。
【００４０】
上面パネル１４が長方形プロファイルであることに起因して、上面の前縁９ａと上面の後縁９ｂは、同じ長さを有する。同じことが上面の側縁９ｃに当てはまり、上面の側縁は、同様に同じ長さを有する。
【００４１】
上面部分４は、２つの上面の側方フラップ１５をさらに含み、上面の側方フラップは、実質的に三角形の形態を有し、且つ公知の方法で主要部分５の２つの対向する側壁部分６上に折りこまれている。
【００４２】
図１〜３及び図５に示すように、上面部分４は、包装材料２の取り外し自在部分１７（図６）の周囲に上側を覆って配置されたプラスチック材料の開放機器１６も備える。開放機器１６は、接着剤などの従来の締結システムにより、又はマイクロフレーム、電流誘導、超音波、レーザ、射出成形若しくは他のヒートシール技術により、上面パネル１４に適用される。
【００４３】
図１〜５に示す例では、パッケージ１の主要部分５は、異なるプロファイル及びサイズの４つの側壁部分６を含む。有利には、側壁部分６の範囲を定める側辺ゾーン７は、丸みを帯びた形態を有する。
【００４４】
特に、パッケージ１の前面を画定するように設計された第１の側壁部分６は、底面及び上面において、直線の底面の前縁８ａ及び上面の前縁９ａにより、且つ対向する辺におけるそれぞれ丸みを帯びた凸状の側辺ゾーン７により範囲が定められた実質的に長方形の形態を有する。
【００４５】
パッケージ１の後面を画定するように設計された第２の側壁部分６も、実質的に長方形の形態を有し、且つ底面及び上面において、直線の底面の後縁８ｂ及び上面の後縁９ｂにより、且つ対向する辺におけるそれぞれ丸みを帯びた凸状の側辺ゾーン７により範囲が定められ；この第２の側壁部分６は、パッケージ１の前面を画定するように設計された側壁部分６に対面し、且つ長手方向Ａに対して平行にこの後者の側壁部分６の高さよりも高い高さを有する。
【００４６】
他の２つの側壁部分６のそれぞれは、
−  底面において、それぞれ１つの水平な底面の側縁８ｃにより；
−  上面において、それぞれ１つの傾斜した上面の側縁９ｃにより；及び
−  対向する辺におけるそれぞれ丸みを帯びた凸状の側辺ゾーン７により
範囲が定められる、長方形の台形に実質的に類似したプロファイルを有する。
【００４７】
台形プロファイルを有する２つの側壁部分６は、それらの外面にそれぞれ上面の側方フラップ１５を受け入れる。
【００４８】
本発明の重要な態様によれば、底面パネル１０の面積は、上面の四辺形Ｑ（図５）の面積と異なり、この上面の四辺形の面積は、基準面Ｐ（図３）上において、上面パネル１４を、長手方向Ａに沿って投影することによって得られ、この基準面は、底面パネル１０に平行であり、パッケージ１を横切り、且つ上面の周囲輪郭９の上面の前縁９ａを含む。
【００４９】
特に、底面パネル１０の面積は、上面の四辺形Ｑの面積よりも小さい。
【００５０】
図示しない別の可能な変形形態によれば、底面パネル１０の面積は、上面の四辺形Ｑの面積よりも大きいことができる。
【００５１】
上面パネル１４に類似して、上面の四辺形Ｑは、正方形又は長方形、図示の例では正方形に近い長方形である。
【００５２】
特に図５を参照して説明すると、上面の四辺形Ｑは、底面の前縁８ａに対応する上面の前線分Ｑ１、底面の後縁８ｂに対応する上面の後線分Ｑ２及びそれぞれ底面の側縁８ｃに対応する２つの上面の側線分Ｑ３を含む。
【００５３】
好ましくは、上面の側線分Ｑ３は、同じ長さを有し、これは、底面の側縁９ｃの長さと異なる。より具体的には、図示の例では、底面の側縁９ｃの長さは、上面の側線分Ｑ３の長さよりも小さい。
【００５４】
同様に、上面の前線分Ｑ１及び上面の後線分Ｑ２は、同じ長さを有し、これは、底面の前縁８ａ及び底面の後縁８ｂの長さと異なる。
【００５５】
より具体的には、図示の例では、底面の前縁８ａ及び底面の後縁８ｂの長さは、上面の前線分Ｑ１及び上面の後線分Ｑ２の長さよりも大きい。
【００５６】
パッケージ１が作製される包装材料２は、図６に示されており、且つ剛性のための例えば紙の基層と、基層の両方の側面を覆ういくつもの積層とを含む公知の多層構造（図示せず）を有する。
【００５７】
好ましくは、積層は、例えば、アルミニウム箔の酸素遮断材の１つの層と、基層の両方の側面及び酸素遮断材の層の両方の側面を覆うヒートシールプラスチック材料のいくつもの層とを含む。換言すると、パッケージ１の内側を最終的に形成する側面から順に、包装材料２は、ヒートシールプラスチック材料の１つの層、酸素遮断材の１つの層、ヒートシールプラスチック材料の別の層、基層及びヒートシールプラスチック材料の１つ以上の追加的な層を含む。
【００５８】
図６の文字Ｍは、パッケージ１を生産するための包装材料２の基本構成単位を示し、これは、予め切断されたブランク又は一連の基本構成単位Ｍを含む包装材料のウェブの一部であり得る。
【００５９】
最初の事例では、基本構成単位Ｍは、公知の成形スピンドル（図示せず）上に折られ、食品が充填され、且つ上面が密封されて最終的なパッケージを形成する。
【００６０】
図１〜１２を参照して説明する第２の事例では、一連の基本構成単位Ｍを含む包装材料２のウェブは、
−  シリンダーに折られて長手方向に密封され、縦チューブを形成し；
−  食品が連続的に充填され；及び
−  横断方向に密封されて、基本構成単位Ｍに切断され、その後、それらの基本構成単位は、それぞれのパッケージ１を形成するように折られる。
【００６１】
これらの作業の完了後、パッケージ１は、
−  底面パネル１０をその中心線に沿って横切り、且つ底面の前縁８ａ及び底面の後縁８ｂに対して平行に延在する底面の横断方向封止帯１８（図５）；
−  上面の前縁９ａ及び上面の後縁９ｂに対して平行に且つそれらの間で上面パネル１４を横切る上面の横断方向封止帯１９（図１〜４）；及び
−  底面パネル１０及び上面パネル１４のそれぞれの部分に沿って且つパッケージ１の後面を画定する側壁部分６に沿って、底面の横断方向封止帯１８と上面の横断方向封止帯１９との間に垂直に延在する長手方向封止帯２０
を有する。
【００６２】
より具体的には、パッケージ１が完全に密封されて形成された後、底面パネル１０は、底面の横断方向封止帯１８と、底面の横断方向封止帯１８から垂直に延在する長手方向封止帯２０の端部分２０ａとによって交差される。
【００６３】
完全に類似した方法において、パッケージ１が完全に密封されて形成された後、上面パネル１４は、上面の横断方向封止帯１９と、上面の横断方向封止帯１９から垂直に延在し、且つ端部分２０ａに対向する長手方向封止帯２０の端部分２０ｂとによって交差される。より詳細には、上面の横断方向封止帯１９は、上面パネル１４を２つのゾーン１４ａ、１４ｂに区画し、及び長手方向封止帯２０の端部分２０ｂは、上面の横断方向封止帯１９の中間部分からそのようなゾーン１４ａ、１４ｂの一方のゾーン（１４ｂ）に延在する。
【００６４】
パッケージ１を得るための成形作業中、上面の横断方向封止帯１９は、ゾーン１４ｂ及び長手方向封止帯２０の端部分２０ｂ上に折られる。このようにして、ゾーン１４ａは、ゾーン１４ｂよりも大きい面積を有するため、取り外し自在部分１７及び開放機器１６を受け入れるのにより好適である。
【００６５】
図６に示す例では、取り外し自在部分１７は、円形プロファイルを有し、且つ使用中、開放機器１６により、包装材料の残りの部分から少なくとも部分的に引き離されて、製品を注ぎ出す注出開口部を解放するように設計されている。
【００６６】
取り外し自在部分１７は、包装材料２自体を折って密封して、完成品のパッケージを形成する前に包装材料２に形成される。
【００６７】
この場合、取り外し自在部分１７は、いわゆる「プレラミネートされた」孔、すなわち包装材料２の基層のみを貫通して形成され、且つ包装材料２自体が積層されるとき、孔で互いに接着するヒートシールプラスチック材料及び酸素遮断材の層で覆われた円形の孔を含む。
【００６８】
特に図６を参照して説明すると、包装材料２の基本構成単位Ｍは、長方形の形態を有し、且つ、
−  基本構成単位Ｍが直立した条件では、長手方向Ａに一致する長手方向に対して平行な２つの側境界縁２２；
−  長手方向Ａに対して直交する横断方向Ｂに対して平行な底面の境界縁２３；及び
−  横断方向Ｂ及び底面の境界縁２３に対して平行な上面の境界縁２４
によって範囲が定められる。
【００６９】
包装材料２の基本構成単位Ｍは、それぞれの折り目を画定するいくつもの折り目線を含み、それに沿って包装材料２自体が折られて、完成品のパッケージ１を形成する。
【００７０】
より具体的には、基本構成単位Ｍは、２つの横断方向折り目線２５、２６を含み、これらの横断方向折り目線は、長手方向Ａに対して横断方向に延在し、且つ基本構成単位Ｍ自体を、
−  底面の折り目パターン２８を含み、且つパッケージ１の底面部分３を形成するように構成された底面領域２７；
−  上面の折り目パターン３０を含み、且つパッケージ１の上面部分４を形成するように構成された上面領域２９；及び
−  横断方向折り目線２５と２６との間に含まれ、底面領域２７と上面領域２９との間に置かれ、且つパッケージ１の側壁部分６を形成するように設計された中間領域３１
に区画する。
【００７１】
横断方向折り目線２５は、底面の境界縁２３及び上面の境界縁２４に対して平行に延在し、且つ横断方向折り目線２６よりも底面の境界縁２３の近くに配置されている。横断方向折り目線２５は、パッケージ１の底面の周囲輪郭８を画定するように構成される。
【００７２】
特に、横断方向折り目線２５は、
−  パッケージ１の底面の前縁８ａを画定するように構成された底面の中心部分２５ａ；
−  底面の中心部分２５ａの両側に配置され、それぞれの側境界縁２２に隣接した位置にあり、且つパッケージ１の底面の後縁８ｂを画定するように構成された２つの底面の端部分２５ｂ；及び
−  底面の中心部分２５ａの両側にそれぞれ隣接して延在し、中心部分２５ａ自体をそれぞれの端部分２５ｂに接続し、且つパッケージ１のそれぞれの底面の側縁８ｃを画定するように設計された２つの底面の側部分２５ｃ
を含む。
【００７３】
横断方向折り目線２６は、横断方向折り目線２５よりも上面の境界縁２４の近くに配置され、且つパッケージ１の上面の周囲輪郭９を画定するように構成される。特に、横断方向折り目線２６は、
−  横断方向Ｂに対して平行であり、且つパッケージ１の上面の前縁９ａを画定するように構成された上面の中心部分２６ａ；
−  横断方向Ｂに対して平行であり、上面の中心部分２６ａよりも上面の境界縁２４の近くに配置され、且つパッケージ１の上面の後縁９ｂを画定するように構成された２つの上面の端部分２６ｂ；及び
−  長手方向Ａ及び横断方向Ｂに対して傾斜した形態を有し、且つそれぞれ上面の中心部分２６ａをそれぞれの上面の端部分２６ｂに接続する２つの傾斜した上面の側部分２６ｃ
を備える折れ線の形状を有する。
【００７４】
図６に示すように、上面の側部分２６ｃは、上面の中心部分２６ａの方に収束する。
【００７５】
基本構成単位Ｍは、方向Ｂに対して平行に延在し、且つそれぞれ底面の境界縁２３及び上面の境界縁２４の近くに位置する２つのさらなる横断方向折り目線３２、３３を含む。横断方向折り目線３２、３３は、底面の境界縁２３及び上面の境界縁２４と一緒に、それぞれパッケージ１の底面の横断方向封止帯１８及び上面の横断方向封止帯１９を画定するように構成された底面の横断方向封止領域３４及び上面の横断方向封止領域３５の範囲を定める。
【００７６】
底面の折り目パターン２８は、パッケージ１の底面パネル１０及び底面の側方フラップ１１を生じるように設計されている。特に、底面の折り目パターン２８は、公知の方法において、長手方向Ａに対して平行であり、且つ横断方向折り目線２５及び３２間に延在する４つの長手方向折り目線３６ａ、３６ｂを含む。
【００７７】
長手方向折り目線３６ｂは、最も内側のものである一方、長手方向折り目線３６ａは、対向する側境界縁２２の近くに位置する。長手方向折り目線３６ｂ間の領域並びに長手方向折り目線３６ａ及びそれぞれの側境界縁２２によって範囲を定められる領域は、パッケージ１の底面パネル１０を画定するように構成される。
【００７８】
長手方向折り目線３６ａ及び３６ｂ間に範囲を定められる領域のそれぞれにおいて、底面の折り目パターン２８は、長手方向Ａ及び横断方向Ｂの両方に対して傾斜した２つの追加的な折り目線３７、３８をさらに含む。
【００７９】
特に、各対の追加的な折り目線３７、３８は、一方の端部が共通して横断方向折り目線３２に位置し、且つ対向する端部がそれぞれ横断方向折り目線２５と長手方向折り目線３６ａ及び３６ｂとの間の交点に位置している。このようにして、追加的な折り目線３７、３８の各対は、追加的な折り目線３７、３８自体の間に含まれる横断方向折り目線２５の線分と一緒に三角形３９の範囲を定める。
【００８０】
長手方向折り目線３６ａ及び３６ｂ間の各領域は、パッケージ１のそれぞれ１つの底面の側方フラップ１１を画定するように構成される。
【００８１】
上面の折り目パターン３０は、パッケージ１の上面パネル１４及び上面の側方フラップ１５を生じるように設計されている。特に、上面の折り目パターン３０は、長手方向Ａに対して平行であり、且つ横断方向折り目線２６及び３３間に延在する４つの長手方向折り目線４０ａ、４０ｂを含む。
【００８２】
長手方向折り目線４０ｂは、最も内側のものである一方、長手方向折り目線４０ａは、対向する側境界縁２２の近くに位置する。長手方向折り目線４０ｂ間の領域並びに長手方向折り目線４０ａ及びそれぞれの側境界縁２２によって範囲が定められる領域は、パッケージ１の上面パネル１４を画定するように構成される。取り外し自在部分１７は、長手方向折り目線４０ｂ間に含まれる上面領域２９の領域に形成される。
【００８３】
長手方向折り目線４０ａ及び４０ｂ間に範囲が定められる領域のそれぞれでは、上面の折り目パターン３０は、長手方向Ａ及び横断方向Ｂの両方に対して傾斜した２つの追加的な折り目線４１、４２をさらに含む。
【００８４】
特に、各対の追加的な折り目線４１、４２は、一方の端部が共通して横断方向折り目線３３に位置しており、及び対向する端部が横断方向折り目線２６のそれぞれの傾斜した上面の側部分２６ｃの対向する端部に又はそれに隣接して位置している。
【００８５】
このようにして、追加的な折り目線４１、４２の各対は、横断方向折り目線２６のそれぞれの上面の側部分２６ｃと一緒に三角形４３の範囲を定める。
【００８６】
長手方向折り目線４０ａ及び４０ｂ間の各領域は、パッケージ１のそれぞれ１つの上面の側方フラップ１５を画定するように構成される。
【００８７】
本発明の重要な態様によれば、横断方向折り目線２６の上面の中心部分２６ａの長さは、横断方向折り目線２５の底面の中心部分２５ａの長さと異なり；さらに、横断方向折り目線２５の底面の側部分２５ｃのそれぞれの長さも、横断方向折り目線２６の上面の側部分２６ｃのそれぞれの、横断方向折り目線２５に対して平行であり、且つ上面の中心部分２６ａを含む基準線Ｓ上における、長手方向Ａに対して平行な投影像Ｒの長さと異なる。
【００８８】
特に、上面の中心部分２６ａの長さは、底面の中心部分２５ａの長さよりも小さい。異なる方法では、各投影像Ｒの長さは、対応する底面の側部分２５ｃの長さよりも大きい。
【００８９】
図６に示すように、底面の中心部分２５ａの長さは、長手方向折り目線３６ｂ間に含まれる横断方向折り目線３２の線分の長さに対応する。完全に類似した方法において、上面の中心部分２６ａの長さは、長手方向折り目線４０ｂ間に含まれる横断方向折り目線３３の線分の長さに対応する。
【００９０】
同じことが底面の側部分２５ｃに当てはまり、その長さは、長手方向折り目線３６ａ及び３６ｂの各対間に含まれる横断方向折り目線３２のそれぞれの線分の長さに対応する。類似して、投影像Ｒの長さは、長手方向折り目線４０ａ及び４０ｂの各対間に含まれる横断方向折り目線３３のそれぞれの線分の長さに対応する。
【００９１】
上面の四辺形Ｑの上面の前線分Ｑ１及び上面の後線分Ｑ２の長さは、上面の中心部分２６ａの長さに対応する。類似した方法において、上面の四辺形Ｑの上面の側線分Ｑ３の長さは、投影像Ｒの長さに対応することに留意することが重要である。
【００９２】
図６に示す実施形態では、中間領域３１は、均一な構造を有し、すなわち折り又は弱化も全くなく、且つパッケージ１の側壁部分６のそれぞれの側辺ゾーン７を形成するように設計された中間領域３１自体の領域を横切る中心横断帯４４を含む。
【００９３】
好ましくは、基本構成単位Ｍの中間領域３１は、横断方向折り目線２５、２６上に又はそれに隣接して位置しているそれぞれの頂点４６を有する複数のＶ字形状の折り目線４５をさらに含み、且つその所与の点において、パッケージ１の側壁部分６の範囲を定めるそれぞれの側辺ゾーン７の対向する端を画定するように設計されている。各Ｖ字形状の折り目線４５は、それぞれの横断方向折り目線２５、２６から及びその近傍において中心横断帯４４まで延在し、且つそれぞれの頂点４６から広がる２本の脚線４７を含む。
【００９４】
特に、各Ｖ字形状の折り目線４５は、それぞれの横断方向折り目線２５、２６から他方の横断方向折り目線２６、２５の方に延在し、且つ長手方向Ａに対して平行に、ゼロよりも大きく且つ長手方向Ａ自体に対して平行に測定された中間領域３１の全高の４分の１よりも小さい、好ましくは１０分の１よりも小さいサイズを有する。
【００９５】
本記載及び特許請求の範囲では、用語「中間領域３１の全高」は、パッケージの全高に対応することを指摘しておく。
【００９６】
実際、横断方向折り目線２５から延在する各Ｖ字形状の折り目線４５及び横断方向折り目線２６から延在する対応するＶ字形状の折り目線４５は、長手方向Ａに対して平行に離間されている。
【００９７】
好ましくは、各Ｖ字形状の折り目線４５は、長手方向Ａに対して平行に、長手方向Ａ自体に対して平行に測定された底面領域２７又は上面領域２９の最大高さよりも小さいサイズを有する。
【００９８】
一層好ましくは、Ｖ字形状の折り目線４５の各脚線の長さは、それぞれの横断方向折り目線２５、２６にある三角形３９、４３の底辺に対する、その三角形の高さの最大長さよりも小さい。
【００９９】
図示の例では、各Ｖ字形状の折り目線４５の、長手方向Ａに平行なサイズは、長手方向Ａ自体に対して平行に測定された中間領域３１の全高の１４分の１に実質的に等しい。
【０１００】
図１〜４に示すように、Ｖ字形状の折り目線４５は、パッケージ１の側壁部分６間に側辺ゾーン７を画定するように設計された領域において、中間領域３１に存在する唯一の折り目線である。
【０１０１】
横断方向折り目線２５及び２６間に連続的な長手方向折り目線がないことにより、結果として作られたパッケージ１は、側辺ゾーン７に沿って丸みを帯びた形態を与える。Ｖ字形状の折り目線４５は、側辺ゾーン７の丸みを帯びた形態に影響を及ぼすことなく、側壁部分６の側辺ゾーン７と底面の周囲輪郭８及び上面の周囲輪郭９との間のそれぞれの角における包装材料２の折りを簡単にする機能を果たす。
【０１０２】
図示の例では、各Ｖ字形状の折り目線４５の脚線４７は、直線的であり、すなわち直線である。図示しない可能な代替形態として、各Ｖ字形状の折り目線４５の脚線４７は、同様に、湾曲されて、好ましくはそれらの凹部が互いに対面するようにされ得る。
【０１０３】
好ましくは、各Ｖ字形状の折り目線４５の脚線４７は、４５°〜９０°に含まれる角度の範囲を定める。
【０１０４】
図７の符号１’は、概して、本発明による及びシート包装材料２の基本構成単位Ｍ’（図８）によって得られる密封されたパッケージの異なる実施形態を示す。パッケージ１’は、パッケージ１と同様であるため、下記の説明は、それらの違いに限定され、且つ可能な場合、同一又は対応する部分に同じ参照符号を使用する。同じことが基本構成単位Ｍ’及びＭに当てはまる。
【０１０５】
特に、パッケージ１’は、側壁部分６間の側辺ゾーン７が、横断方向折り目線２５及びと２６間に延在するそれぞれの長手方向折り目線５０によって画定されていることのみにおいてパッケージ１と異なる。横断方向折り目線２５、２６の底面の中心部分２５ａと上面の中心部分２６ａとの間及び横断方向折り目線２５の底面の側部分２５ｃと基準線Ｓ上のそれぞれの投影像Ｒとの間の長さが異なることに起因して、長手方向折り目線５０は、長手方向Ａに対してわずかに斜めにされる。
【０１０６】
この場合、Ｖ字形状の折り目線は、必要ないために存在しない。
【０１０７】
図９の符号１’’は、概して、本発明による且つシート包装材料２の基本構成単位Ｍ’’（図１０）によって得られる密封されたパッケージの異なる実施形態を示す。パッケージ１’’は、パッケージ１と同様であるため、下記の説明は、それらの違いに限定され、且つ可能な場合、同一又は対応する部分に同じ参照符号を使用する。同じことが基本構成単位Ｍ’’及びＭに当てはまる。
【０１０８】
特に、パッケージ１’’は、水平方向及び底面パネル１０に対して平行に延在する上面パネル１４’’を有することのみにおいてパッケージ１と異なる。
【０１０９】
より詳細には、上面パネル１４’’は、底面の周囲輪郭８に対して平行であり、且つ同様に横断方向折り目線２５及び横断方向Ｂに対して平行である横断方向折り目線２６’’によって得られる上面の周囲輪郭９’’（辺９ａ’’、９ｂ’’、９ｃ’’によって形成される）によって範囲が定められる。
【０１１０】
この場合、上面パネル１４’’は、全体的に基準面Ｐ上に延在するため、この後者の面上における上面パネル１４’’の投影像、すなわち上面の四辺形Ｑは、上面パネル１４’’自体と一致する。
【０１１１】
同じことが、基準線Ｓ上における横断方向折り目線２６’’の上面の側部分２６ｃ’’の投影像Ｒに当てはまり、これは、上面の側部分２６ｃ’’自体と一致する。実際、この場合、基準線Ｓは、上面の横断方向折り目線２６’’と一致する。
【０１１２】
図１１の符号１’’’は、概して、本発明による且つシート包装材料２の基本構成単位Ｍ’’’（図１２）によって得られる密封されたパッケージの異なる実施形態を示す。パッケージ１’’’は、パッケージ１’’と同様であるため、下記の説明は、それらの違いに限定され、且つ可能な場合、同一又は対応する部分に同じ参照符号を使用する。同じことが基本構成単位Ｍ’’’及びＭ’’に当てはまる。
【０１１３】
特に、パッケージ１’’’は、側壁部分６間の側辺ゾーン７が、横断方向折り目線２５及び２６間に延在するそれぞれの長手方向折り目線５０によって画定されることのみにおいてパッケージ１’’と異なる。この場合も、横断方向折り目線２５、２６’’の底面の中心部分２５ａと上面の中心部分２６ａ’’との間及び同じ横断方向折り目線２５、２６’’の底面の側部分２５ｃと上面の側部分２６ｃ’’との間の長さが異なることに起因して、長手方向折り目線５０は、長手方向Ａに対してわずかに斜めにされる。
【０１１４】
長手方向折り目線５０が存在するため、Ｖ字形状の折り目線は、必要ないために存在しない。
【０１１５】
本発明によるパッケージ１、１’、１’’、１’’’及び包装材料２の基本構成単位Ｍ、Ｍ’、Ｍ’’、Ｍ’’’の利点は、上記の説明から明らかになっている。
【０１１６】
特に、説明したパッケージ１、１’、１’’、１’’’の解決法は、全て上面部分４とわずかに異なる底面部分３を示す。このようにして、輸送パレットを完成品のパッケージ１、１’、１’’、１’’’で満たすことを最適にすることが可能であり、これは、それらのパッケージの外観に関連のある変化を与えることなく、それらの寸法に高い柔軟性を与える。例えば、上面部分４よりもスリムな底面部分３により、パッケージが直立した姿勢で置かれるとき、パッケージに収容された流動製品（この製品は、パッケージ１、１’、１’’、１’’’、１’’’’自体の底面部分に溜まる傾向がある）に加えられる重力によって生じる膨張の影響を補償できる。
【０１１７】
しかしながら、添付の特許請求の範囲の保護範囲から逸脱することなく、本明細書で説明及び図示されるようなパッケージ１、１’、１’’、１’’’及び包装材料２の基本構成単位Ｍ、ｍ’、Ｍ’’、Ｍ’’’に対する変更形態がなされ得ることが明らかである。
【図１】
2021522114.tif 000003
【図２】
2021522114.tif 000004
【図３】
2021522114.tif 000005
【図４】
2021522114.tif 000006
【図５】
2021522114.tif 000007
【図６】
2021522114.tif 000008
【図７】
2021522114.tif 000009
【図８】
2021522114.tif 000010
【図９】
2021522114.tif 000011
【図１０】
2021522114.tif 000012
【図１１】
2021522114.tif 000013
【図１２】
2021522114.tif 000014
【国際調査報告】
2021522114.tif 000015
2021522114.tif 000016
2021522114.tif 000017